(57)【要約】【課題】来客の待ち時間を短縮できる安全な業務システムの提供。【解決手段】サーバ（フォーマット配信サーバ）１３は、携帯端末３０に対して、オンライン端末（ＡＴＭ端末）４１に対する所定の処理要求を事前入力するための事前入力フォーマットを送信する。オンライン端末（ＡＴＭ端末）４１は、携帯端末３０から処理要求内容が入力されたフォーマットファイル３２を受信すると、該受信した入力済みフォーマットファイル３２に入力された内容を、来客が直接入力した内容と同等に取り扱い、来客の入力操作量を削減する。【選択図】図１
2009015503.tif 000002
【特許請求の範囲】
【請求項１】
来客から所定の処理要求を受け付ける入力手段を備えたオンライン端末を備える業務システムであって、
携帯端末に対して、前記オンライン端末に対する所定の処理要求を事前入力するための事前入力フォーマットを送信するサーバと、
前記携帯端末から処理要求内容が入力された事前入力フォーマットを受信する手段と、該受信した入力済み事前入力フォーマットに入力された内容を前記入力手段からの入力内容として受け付ける手段と、を備えるオンライン端末と、を含むこと、
を特徴とする業務システム。
【請求項２】
更に、前記携帯端末に対して送信する前記事前入力フォーマットの新規登録又は変更を受け付けるフォーマットファイル受付サーバを備える請求項１に記載の業務システム。
【請求項３】
前記事前入力フォーマットは、店舗における注文伝票フォーマットであり、
バーコードを認識する手段を備える携帯端末により、前記店舗に備えられたメニューに印刷されたバーコードを読み込むことにより、前記注文伝票フォーマットに注文内容を入力できる請求項１又は２に記載の業務システム。
【請求項４】
前記オンライン端末は、ＡＴＭ（Ａｕｔｏｍａｔｅｄ  Ｔｅｌｌｅｒ  Ｍａｃｈｉｎｅ）であり、
前記事前入力フォーマットは、前記ＡＴＭに対する振り込み依頼フォーマットである請求項１又は２に記載の業務システム。
【請求項５】
前記オンライン端末は、ＡＴＭ（Ａｕｔｏｍａｔｅｄ  Ｔｅｌｌｅｒ  Ｍａｃｈｉｎｅ）であり、
前記事前入力フォーマットは、前記ＡＴＭに対する２以上の処理要求を一括して入力可能なフォーマットである請求項１又は２に記載の業務システム。
【請求項６】
前記事前入力フォーマットは、複数件の振り込み依頼を一括して入力可能である請求項４又は５に記載の業務システム。
【請求項７】
来客から所定の処理要求を受け付ける入力手段と、携帯端末から処理要求内容が入力された事前入力フォーマットを受信する手段と、該受信した入力済み事前入力フォーマットに入力された内容を前記入力手段からの入力内容として受け付ける手段と、を備えるオンライン端末を含む業務システムに併設されるサーバであって、
任意の携帯端末に対して、前記事前入力フォーマットを送信する手段を備えたこと、
を特徴とするサーバ。
【請求項８】
更に、前記携帯端末に対して送信する前記事前入力フォーマットの新規登録又は変更を受け付ける手段を備える請求項７に記載のサーバ。
【請求項９】
前記事前入力フォーマットは、店舗における注文伝票フォーマットであり、
更に、メニューに印刷されたバーコードを読み込むことにより、前記注文伝票フォーマットへの注文内容の入力を受け付けるアプリケーションプログラムを配布する手段を備える請求項７又は８に記載のサーバ。
【請求項１０】
前記事前入力フォーマットは、金融機関に設置されたＡＴＭに対する振り込み依頼フォーマットである請求項７又は８に記載のサーバ。
【請求項１１】
前記事前入力フォーマットは、金融機関に設置されたＡＴＭに対する２以上の処理要求を一括して入力可能なフォーマットである請求項７又は８に記載のサーバ。
【請求項１２】
前記振り込み依頼フォーマットは、複数件の振り込み依頼を一括して入力可能である請求項１０又は１１に記載のサーバ。
【請求項１３】
来客から所定の処理要求を受け付ける入力手段と、携帯端末から処理要求内容が入力された事前入力フォーマットを受信する手段と、該受信した入力済み事前入力フォーマットに入力された内容を前記入力手段からの入力内容として受け付ける手段と、を備えるオンライン端末を含む業務システムに併設されたサーバから、前記事前入力フォーマットを受信する手段と、
前記事前入力フォーマットを表示して、前記オンライン端末の前記入力手段を介して入力すべき処理要求内容の少なくとも一部の入力を受け付ける手段と、
前記オンライン端末に対して、前記入力済み事前入力フォーマットを送信する手段と、を備えたこと、
を特徴とする携帯端末。
【請求項１４】
更に、バーコードを認識する手段と、
前記店舗に備えられたメニューに印刷されたバーコードを読み込むことにより、前記注文伝票フォーマットへの注文内容の入力を受け付ける手段と、を備える請求項１３に記載の携帯端末。
【請求項１５】
来客から所定の処理要求を受け付ける入力手段と、
任意の携帯端末から処理要求内容が入力された事前入力フォーマットを受信する手段と、
前記受信した入力済み事前入力フォーマットに入力された内容を前記入力手段からの入力内容として受け付ける手段と、を備えたこと、
を特徴とするオンライン端末。
【請求項１６】
前記事前入力フォーマットが、店舗における注文伝票フォーマットであり、店舗における注文受付端末として機能する請求項１５に記載のオンライン端末。
【請求項１７】
前記事前入力フォーマットが、金融機関に設置されたＡＴＭ（Ａｕｔｏｍａｔｅｄ  Ｔｅｌｌｅｒ  Ｍａｃｈｉｎｅ）に対する振り込み依頼フォーマットであり、前記ＡＴＭとして機能する請求項１５に記載のオンライン端末。
【請求項１８】
前記事前入力フォーマットが、金融機関に設置されたＡＴＭ（Ａｕｔｏｍａｔｅｄ  Ｔｅｌｌｅｒ  Ｍａｃｈｉｎｅ）に対する２以上の処理要求が一括して入力されたフォーマットであり、前記２以上の処理要求をそれぞれ受理するＡＴＭとして機能する請求項１５に記載のオンライン端末。
【請求項１９】
複数件の振り込み依頼が一括して入力された事前入力フォーマットを受け付ける請求項１７又は１８に記載のオンライン端末。
【請求項２０】
来客から所定の処理要求を受け付ける入力手段を備えたオンライン端末を含む業務システムにおける来客からの処理要求の受理方法であって、
前記業務システムに併設されるサーバが、来客の携帯端末に対して、前記オンライン端末に対する所定の処理要求を事前入力するための事前入力フォーマットを送信するステップと、
前記オンライン端末が、前記来客の携帯端末から、前記入力手段を介して入力すべき処理要求内容の少なくとも一部が入力された事前入力フォーマットを受信し、該受信した入力済み事前入力フォーマットに入力された内容を前記入力手段からの入力内容として受け付けるステップと、
を含む来客からの処理要求の受理方法。
【発明の詳細な説明】
【技術分野】
【０００１】
本発明は、業務システム、サーバ、携帯端末、オンライン端末及び来客からの処理要求の受理方法に関し、特に、来客からの各種処理要求を順番に受け付ける業務システム、サーバ、携帯端末、オンライン端末及び来客からの処理要求の受理方法に関する。
【背景技術】
【０００２】
特許文献１に、利用者による現金自動取引装置（Ａｕｔｏｍａｔｅｄ  Ｔｅｌｌｅｒ  Ｍａｃｈｉｎｅ；以下、「ＡＴＭ」ともいう）の１件あたりの操作時間を短縮するために、事前にインターネットを介して、金融機関のホストシステムに取引内容（取引操作手順）を登録しておき、後日ＡＴＭで、取引内容を登録した際に発行された登録番号を入力することにより、取引内容（取引操作手順）を呼び出すことのできるオンラインシステムが開示されている。
【０００３】
特許文献２には、事前情報（引き出し金額、暗証番号、口座番号）等を入力し、非接触通信によりＡＴＭに送信可能なキャッシュカードと、キャッシュカードから受信した前記事前情報に従い事前処理を行うＡＴＭが開示されている。
【０００４】
【特許文献１】特開２００６−２３５７６９号公報
【特許文献２】特開平０５−１５１２４５号公報
【発明の開示】
【発明が解決しようとする課題】
【０００５】
しかしながら、上記特許文献１のオンラインシステムでは、口座番号や暗証番号等をインターネットを介して送る必要があり、セキュリティ上の問題点がある。また、利用者が携帯端末等の従量型の通信料体系が適用される端末を用いる場合には、取引内容（取引操作手順）の登録のために、通信料の負担が発生してしまうという問題点もある。
【０００６】
この点、特許文献２の構成によれば、上記セキュリティや通信料の問題が発生しなくなるが、事前情報を入力・送信可能な専用装置（同公報の実施例では、キー入力機能、入力内容表示機能、入力内容送信機能付きキャッシュカードを用いている。）が必要となってしまう。また特許文献２の構成では、当該キャッシュカードのＲＡＭ及びＲＯＭに暗証番号が格納され、ＡＴＭ側で両者を照合する構成であるなど、セキュリティ上の問題点もある。
【０００７】
本発明は上記した事情に鑑みてなされたものであって、その目的とするところは、上記したセキュリティ上の問題点が少なく、しかも来客の待ち時間を短縮できる業務システム、サーバ、携帯端末、オンライン端末及び来客からの処理要求の受理方法を提供することにある。
【課題を解決するための手段】
【０００８】
本発明の第１の視点によれば、来客から所定の処理要求を受け付ける入力手段を備えたオンライン端末を備える業務システムであって、携帯端末に対して、前記オンライン端末に対する所定の処理要求を事前入力するための事前入力フォーマットを送信するサーバと、前記携帯端末から処理要求内容が入力された事前入力フォーマットを受信する手段と、該受信した入力済み事前入力フォーマットに入力された内容を前記入力手段からの入力内容として受け付ける手段と、を備えるオンライン端末と、を含む業務システムが提供される。
【０００９】
本発明の第２の視点によれば、上記した業務システムに併設されるサーバであって、任意の携帯端末に対して、前記事前入力フォーマットを送信する手段を備えたサーバが提供される。
【００１０】
本発明の第３の視点によれば、上記した業務システムに併設されたサーバから前記事前入力フォーマットを受信する手段と、前記事前入力フォーマットを表示して、前記オンライン端末の前記入力手段を介して入力すべき処理要求内容の少なくとも一部の入力を受け付ける手段と、前記オンライン端末に対して、前記入力済み事前入力フォーマットを送信する手段と、を備えた携帯端末が提供される。
【００１１】
本発明の第４の視点によれば、上記した業務システムのオンライン端末であって、来客から所定の処理要求を受け付ける入力手段と、任意の携帯端末から処理要求内容が入力された事前入力フォーマットを受信する手段と、前記受信した入力済み事前入力フォーマットに入力された内容を前記入力手段からの入力内容として受け付ける手段と、を備えたオンライン端末が提供される。
【００１２】
本発明の第５の視点によれば、来客から所定の処理要求を受け付ける入力手段を備えたオンライン端末を含む業務システムにおける来客からの処理要求の受理方法であって、前記業務システムに併設されるサーバが、来客の携帯端末に対して、前記オンライン端末に対する所定の処理要求を事前入力するための事前入力フォーマットを送信するステップと、前記オンライン端末が、前記来客の携帯端末から、前記入力手段を介して入力すべき処理要求内容の少なくとも一部が入力された事前入力フォーマットを受信し、該受信した入力済み事前入力フォーマットに入力された内容を前記入力手段からの入力内容として受け付けるステップと、を含む来客からの処理要求の受理方法が提供される。
【発明の効果】
【００１３】
本発明によれば、インターネット等を経由せずに、所定の処理要求内容をオンライン端末に受理させることが可能となる。また、携帯端末側の事前入力フォーマット又はその入力内容を適宜編集・消去することで、入力内容の漏洩等も容易に防止できる。
【発明を実施するための最良の形態】
【００１４】
続いて、本発明を実施するための最良の形態について図面を参照して詳細に説明する。
【００１５】
［第１実施例］
図１は、本発明を金融機関の業務システムに適用した第１の実施例のシステム構成を表した図である。図１を参照すると、フォーマットファイル受付システム１０と、フォーマット配布システム２０と、金融機関システム４０とが示されている。
【００１６】
フォーマットファイル受付システム１０は、来客から所定の処理要求を受け付ける各種のオンライン端末を業務上使用している各種のサービス提供者（以下、金融機関、官公庁、一般企業、医療機関、各種飲食店、小売店等の業務システムを用いて来店・来所した利用者にサービスを提供する主体を総称して「サービス提供者」という。）が、オンライン端末に入力すべき処理要求内容の少なくとも一部を事前に入力する事前入力フォーマットを登録するためのシステムである。
【００１７】
フォーマットファイル受付システム１０は、サービス利用者の携帯端末３０の画面に事前入力フォーマット（図２参照）を表示させるためのフォーマットファイルの新規登録・変更を受け付けるフォーマットファイル受付サーバ１１と、フォーマットファイルの格納先となるフォーマット管理ＤＢ（データベース）１２とを含んで構成される。
【００１８】
フォーマット配布システム２０は、サービス利用者が待ち時間を有効利用し、ＡＴＭ端末４１に表示される入力画面を介して入力すべき各種処理要求の一部を事前に入力することを実現するためのシステムである。
【００１９】
フォーマット配布システム２０は、上述したフォーマット管理ＤＢ１２と、フォーマット配信サーバ１３と、を含んで構成される。
【００２０】
フォーマット配信サーバ１３は、サービス利用者の携帯端末３０からの要求に応じてフォーマット管理ＤＢ１２に格納されたフォーマットファイルを配信する手段と、サービス利用者の携帯端末３０において事前入力フォーマットを表示し入力を受け付ける入力受付手段、フォーマットファイルの保存手段、入力済みフォーマットファイルの送信手段等として機能するフォーマット入力・送信アプリケーション３１を配信する手段とを備えている。なお、フォーマット配信サーバ１３より配信されるフォーマットファイルには、ユーザの入力内容や秘密情報は含まれていないため、高度なセキュリティは要求されない。例えば、インターネット等を介してフォーマットファイルをダウンロードする方法や電子メールを用いてフォーマットファイルを送信する方法等を採ることができる。また、店舗等において赤外線通信や近距離無線通信を用いて、所定の距離以内に位置する携帯端末３０に対しフォーマットファイルを送信する方法も採ることができる。
【００２１】
図２は、上記フォーマット配信サーバ１３より振り込み依頼用のフォーマットファイルを受信した携帯端末３０の表示装置において表示されるフォーマット入力画面（事前入力フォーマット）の例である。図２を参照すると、振込先金融機関や、その支店、口座種別や口座番号を入力し、金額入力ボタンをクリックすることで、次画面に推移し、振込金額の入力や、これまでの入力内容を確認することが可能となっている。なお、金融機関や支店入力欄の検索ボタンをクリックすることで、５０音やアルファベットにより、金融機関を検索することが可能となっている。
【００２２】
金融機関システム４０は、ＡＴＭ端末４１と、ＡＴＭ端末４１から送られた各種処理要求に対し応答するＡＴＭシステム４２とを含んで構成される。既存の金融機関システムとの相違点は、ＡＴＭ端末４１が、サービス利用者の携帯端末３０からフォーマットファイルという形態で処理要求内容を受信する機能と、フォーマットファイルに入力された内容を、その入力画面より直接処理要求された内容と見做して受理する機能とを備えている点である。
【００２３】
上記フォーマット配布システム２０と、金融機関システム４０とはフォーマットファイルを介して一連の処理を行うものであるため、両者を併せて一種の業務システムとして把握することができる。また、上記フォーマット配信サーバ１３に、フォーマットファイル受付サーバ１１の機能を持たせて、上記フォーマットファイル受付システム１０と、上記フォーマット配布システム２０とを統合した形態とすることもできる。
【００２４】
続いて、上記したフォーマットファイル受付システム１０と、フォーマット配布システム２０と、金融機関システム４０において行われる処理について説明する。
【００２５】
図３は、フォーマットファイル受付システム１０における処理概要を表した図である。図３を参照すると、フォーマットファイル受付サーバ１１は、サービス提供者よりフォーマットファイルの登録依頼を受け付ける（ステップＳ００１）。この登録依頼は、インターネットを介して受け付けるようにしてもよいし、あるいは、フォーマットファイルを格納した磁気ディスク等の記録媒体の送付によって受け付けるようにしてもよい。
【００２６】
フォーマットファイルの登録依頼を受け付けたフォーマットファイル受付サーバ１１は、フォーマットファイルの内容を確認した上で、フォーマット管理ＤＢ１２への登録を行う（ステップＳ００２）。
【００２７】
図４は、フォーマット配布システム２０における処理概要を表した図である。図４を参照すると、まず、携帯端末３０を所持するサービス利用者が、フォーマット入力・送信アプリケーション３１を起動するための所定の操作を行うと（ステップＳ００３）、携帯端末３０は、インストールされたフォーマット入力・送信アプリケーション３１を起動する。
【００２８】
フォーマット入力・送信アプリケーション３１は、サービス利用者の操作に従い、フォーマット配信サーバ１３に対し、フォーマットファイルのダウンロード要求を行う（ステップＳ００４）。
【００２９】
フォーマットファイルのダウンロード要求を受け付けたフォーマット配信サーバ１３は、ダウンロード可能なフォーマットファイル一覧を送信する（ステップＳ００５）。なお、フォーマット入力・送信アプリケーション３１より、必要とするフォーマットファイルの選択条件等が指定されている場合には、これらの選択条件に適合するフォーマットファイルの一覧を送信するようにしても良い。例えば、フォーマット入力・送信アプリケーション３１にて、サービス利用者が必要とする金融機関のＡＴＭ端末のフォーマットである旨や更に、その振込み等の処理要求内容を指定可能とすることで、フォーマットファイルの選択が容易化される。
【００３０】
フォーマットファイル一覧を受信した携帯端末３０は、フォーマット入力・送信アプリケーション３１により、ダウンロード可能なフォーマットファイルを一覧表示する。サービス利用者が、ダウンロードするフォーマットファイルを選択すると、携帯端末３０は、選択されたフォーマットファイルを、フォーマット配信サーバ１３に通知する（ステップＳ００６）。
【００３１】
フォーマット配信サーバ１３は、選択されたフォーマットファイルを携帯端末３０に対して送信する（ステップＳ００７）。携帯端末３０は、受信したフォーマットファイル３２をフラッシュメモリやメモリーカード等に保存する（ステップＳ００８）。
【００３２】
その後、携帯端末３０を所持するサービス利用者は、例えば、ＡＴＭ端末４１の利用待ち時間を利用して、フォーマット入力・送信アプリケーション３１を起動し、フォーマットファイル３２を選択して読み込み操作を行うと（ステップＳ００９）、図２に例示したような事前入力フォーマットが表示される。続いて、サービス利用者が、事前入力フォーマットに必要項目を入力することで、ＡＴＭ端末４１に対し事前入力内容を送信可能な状態となる。また、この入力内容は、携帯端末３０のフラッシュメモリやメモリーカード等に保存し、必要に応じてコピー／修正／削除等することができる。
【００３３】
なお、上記ステップＳ００３〜Ｓ００８は、携帯端末３０に、必要なフォーマットファイル３２が保存されていない場合に行う処理である。必要なフォーマットファイル３２が既にダウンロードされ保存されている場合は、フォーマット配信サーバ１３へのアクセスは不要であり、フォーマット入力・送信アプリケーション３１を起動して、直接フォーマットファイル３２の編集を行うことが可能となる。
【００３４】
図５は、金融機関システム４０における処理概要を表した図である。図５を参照すると、ＡＴＭ端末４１の操作の順番が来ると、サービス利用者は、携帯端末３０のフォーマット入力・送信アプリケーション３１を用いて、ＡＴＭ端末４１に対し、事前入力内容を入力した状態のフォーマットファイル（入力済みフォーマットファイル）３２ａを送信する（ステップＳ０１０）。
【００３５】
なお、この携帯端末３０からＡＴＭ端末４１へのフォーマットファイル（入力済みフォーマットファイル）３２ａの送信方法としては、赤外線通信や各種電子マネーで実用化されている近距離無線通信技術を用いることができる。また、その際に、赤外線通信や近距離無線通信可能な距離にある携帯端末３０からのフォーマットファイルを原則受理することとしてもよいが、フォーマットファイルを受理する携帯端末３０を制限することもできる。例えば、ＡＴＭ端末４１に表示した受理用情報等の入力・送信や、ＡＴＭ端末からのフォーマットファイル送信要求信号に含まれる受理用情報の返信等を受理条件とすることもできる。
【００３６】
入力済みフォーマットファイル３２ａを受信したＡＴＭ端末４１は、入力済みフォーマットファイル３２ａに入力された内容を、番号ボタンやタッチパネル等の入力インタフェースより入力された内容と同様に受理し、ＡＴＭシステム４２との通信を行い、処理要求を受け付ける。
【００３７】
例えば、サービス利用者が、図２に例示した事前入力フォーマットにおける振込先情報の入力と、図２の次画面における振込み金額の入力が済んでいる場合、サービス提供者は、ＡＴＭ端末４１でキャッシュカードを挿入し、暗証番号を入力するだけで、必要な情報がＡＴＭシステム４２に送られることになる。この場合、ＡＴＭ端末４１における操作内容は、暗証番号の入力と、振込内容の確認画面における確認操作だけでよいことになり、サービス利用者一人あたりの処理時間を大幅に短縮することが可能となる。
【００３８】
以上、本発明の第１の実施例を説明したが、本発明で取扱い可能な事前入力フォーマットは図２に例示したものに限られず、各種の変形を施すことが可能である。例えば、図６の振込み用フォーマット画面のように、同種の処理要求内容をまとめて一括入力できるような事前入力フォーマットを提供することも好ましい。このようにすれば、給料日等における待ち時間短縮のために、１人あたりの振込回数を制限する必要もなくなってしまう。
【００３９】
また、振込み処理に限られず、預金の引出手続、各種預金手続、送金手続の事前入力フォーマットや、図７に示すように、振込手続と現金引出手続といった２以上の異なる処理要求を一括して入力することのできる事前入力フォーマットを提供することも可能である。
【００４０】
また、一部項目に規定値を設定された事前入力フォーマットを提供することとしても良い。例えば、同一の金融機関の口座間の振込用の事前入力フォーマットとして、図２、図６の振込先金融機関欄（金融機関コード欄）に、当該金融機関の金融機関コードが入力されたフォーマットファイルを配布することができる。
【００４１】
また、ある口座に一定額を振り込むための専用のフォーマットファイルを提供することとしても良い。この場合は、図２の各入力欄及び次画面の金額欄に規定値が入力されたフォーマットファイルを配布することとなる。
【００４２】
以上のとおり、本実施例では、ＡＴＭ端末の利用者の行列に並んだ際の待ち時間を利用して、携帯端末にて処理要求内容を事前に入力し、ＡＴＭ端末４１でのサービス利用者の操作量を削減することが可能となる。
【００４３】
また、本実施例の構成によれば、既存の各種システムへの影響は軽微であり、ひいては、上述のとおり待ち時間を削減できるため、１店舗あたりのＡＴＭ端末の設置台数の削減及びメンテナンスに掛かる費用を削減することが可能となる。
【００４４】
また、上記第１の実施例では、ＡＴＭ端末４１における待ち時間の短縮を目的としているが、本発明の原理上、来店・来所したサービス利用者から、到着順、予約順等の所定の順序により処理要求を受け付ける各種のオンライン端末に適用し、待ち時間を短縮することができる。オンライン端末としては、サービス利用者が直接入力操作を行うオンライン端末であってもよいし、サービス利用者から口頭や提出書類等で指示を受けたサービス提供者側の担当者が入力操作を行うオンライン端末（窓口端末）であってもよい。
【００４５】
以上、本発明を金融機関の業務システムに適用した例を挙げて説明したが、本発明は、その他の業務システムにも適用可能であり、その際に、適宜、必要な変更を加えることが可能である。
【００４６】
［第２実施例］
第２の実施例として、本発明を飲食店等の業務システム（飲食店システム）に適用した例を挙げて説明する。
【００４７】
図８は、本発明の第２の実施例のシステム構成を表した図である。上記した第１の実施例との相違点は、金融機関システム４０、ＡＴＭ端末４１、ＡＴＭシステム４２が、それぞれ、飲食店システム５０、注文受付端末（オーダー端末）５１、注文管理システム（オーダー管理システム）５２に置き換えられている点である。
【００４８】
注文受付端末５１は、飲食店の従業員が操作する端末又は来客がそれぞれ操作するセルフオーダー端末である。
【００４９】
注文管理システム５２は、注文受付端末５１から受信した注文内容を管理し、厨房等への指示や会計管理を行う情報処理システムである。
【００５０】
また、本実施例では、フォーマット配信サーバ１３から配信されるフォーマット入力・送信アプリケーション３１には、キー入力だけでなく、携帯端末３０に備えられたカメラやバーコードスキャナでバーコードを読み取ることにより、事前入力フォーマットへの入力を行うことのできるバーコード入力機能が備えられている。
【００５１】
具体的には、図９に示すように、飲食店のメニュー１００にバーコードが印刷されている場合、フォーマット入力・送信アプリケーション３１を起動した状態で携帯端末３０に備えられたカメラやバーコードスキャナによりこれらバーコードを読み取ることよって、事前入力フォーマット（注文伝票フォーマット）への入力（注文品目／数量）を行うことが可能となっている。なお、図９の例では、バーコードを利用しているが、２次元コード等を用いることも可能である。
【００５２】
以上のとおり、本実施例では、飲食店で、注文受付端末５１を持つ担当者が来るまでの待ち時間や、入店までの待ち時間を利用してオーダーを済ますことが可能となる。
【００５３】
以上、本発明の好適な実施形態を説明したが、本発明は、上記した実施例に限定されるものではなく、本発明の基本的技術的思想を逸脱しない範囲で、更なる変形・置換・調整を加えることができる。
【００５４】
例えば、本発明は、上記した各実施例のほか、官公庁やその他公的サービス機関、一般企業等における各種手続、届出、申請等を受け付ける各種管理システム等において、特定の日時や時間帯に待ち時間が発生する窓口やオンライン端末を有する各種の業務システムに好適に適用することが可能である。
【００５５】
より具体的には、銀行、証券会社、クレジットカード会社、郵便局等のＡＴＭ網やＣＤ（Ｃａｓｈ  Ｄｉｓｐｅｎｓｅｒ；現金自動支払機）網を持つ各種金融機関のほか、各種届出等を受け付ける官公庁や一般企業、初診カード（患者カード）やアンケートの記入を依頼する医療機関、あるいは、来客から注文を受けたり、顧客アンケートの入力を依頼する各種飲食店、小売店等で業務上使用される各種のシステムを挙げることができる。
【図面の簡単な説明】
【００５６】
【図１】本発明の第１の実施例のシステム構成を表した図である。
【図２】図１の携帯端末において表示されるフォーマット入力画面の例である。
【図３】図１のフォーマットファイル受付システムにおける処理概要を表した図である。
【図４】図１のフォーマット配布システムにおける処理概要を表した図である。
【図５】図１の金融機関システムにおける処理概要を表した図である。
【図６】図１の携帯端末において表示される別のフォーマット入力画面である。
【図７】図１の携帯端末において表示される別のフォーマット入力画面である。
【図８】本発明の第２の実施例のシステム構成を表した図である。
【図９】本発明の第２の実施例を説明するための図である。
【符号の説明】
【００５７】
１０  フォーマットファイル受付システム
１１  フォーマットファイル受付サーバ
１２  フォーマット管理ＤＢ（データベース）
１３  フォーマット配信サーバ
２０  フォーマット配布システム
３０  携帯端末
３１  フォーマット入力・送信アプリケーション
３２  フォーマットファイル  
３２ａ  入力済みフォーマットファイル
４０  金融機関システム
４１  ＡＴＭ端末
４２  ＡＴＭシステム
５０  飲食店システム
５１  注文受付端末（オーダー端末）
５２  注文管理システム（オーダー管理システム）
１００  メニュー
【図１】
2009015503.tif 000003
【図２】
2009015503.tif 000004
【図３】
2009015503.tif 000005
【図４】
2009015503.tif 000006
【図５】
2009015503.tif 000007
【図６】
2009015503.tif 000008
【図７】
2009015503.tif 000009
【図８】
2009015503.tif 000010
【図９】
2009015503.tif 000011